(57)【要約】【目的】大面積係合と多点係合で係合耐力を増強した払拭体把持具を提供する。【構成】本発明の中央折曲型払拭体把持具１では、外側十字孔２４を穿孔した突板部２３と環状部１５を間隙部２０を介して突設した狭持側把持具１０と、内挿軸孔部３９と裏面に内挿十字凹部４１を有する内挿環状部３６を突設した内挿側把持具３０と、十字基部５２から係合突起６０が突設された十字係止具５０と、筒部７４に開口窓７６を形成した押ボタン７０と、前記内挿環状部３６を前記間隙部２０に内挿して両把持具１０、３０が組立られ、前記押ボタン７０の前記筒部７４を前記内挿軸孔部３９に押入し、前記十字基部５２を前記外側十字孔２４に挿通させ前記係合突起６０を前記筒部７４の内部から前記開口窓７６に係合させて、前記十字基部５２を前記内挿十字凹部４１に着脱自在にして両把持具１０、３０のロック及びロック解除を行う。【選択図】図１
2014183905.tif 000002
【特許請求の範囲】
【請求項１】
一端側では外側複数孔を穿孔した突板部と環状部が間隙部を介して突設され他端側では払拭体の一方に取着される基軸部が形成された狭持側把持具と、また一端側では内挿環状部が突設されて内挿環状部表面と内挿環状部裏面を貫通する内挿軸孔部が形成され前記内挿環状部裏面には内挿複数凹部が形成され他端側では前記払拭体の他方に取着される基軸部が形成された内挿側把持具と、複数突状基部から連結部Ａが突設された突状係止具と、頭板部から突設された連結部Ｂを有する押ボタンと、前記内挿環状部表面が前記環状部と対面するように前記内挿環状部を前記環状部と前記突板部の間に形成された前記間隙部に内挿して前記狭持側把持具と前記内挿側把持具が組立てられ、前記連結部Ｂを前記環状部から前記内挿軸孔部に挿入し前記頭板部が前記環状部に位置するまで前記押ボタンを押し込み、前記複数突状基部を前記突板部の前記外側複数孔に挿通させ前記連結部Ａと前記連結部Ｂを連結させることにより前記突状係止具と前記押ボタンを一体化させ、前記複数突状基部を前記内挿複数凹部に着脱自在にして前記狭持側把持具と前記内挿側把持具のロック及びロック解除を行う中央折曲型払拭体把持具。
【請求項２】
外側複数孔を外側十字孔とし、前記内挿複数凹部を内挿十字凹部とし、前記複数突状基部を十字基部として前記突状係止具を十字係止具とし、前記連結部Ａを係合突起とし、前記連結部Ｂを開口窓を有する筒部とし、前記十字基部を前記外側十字孔に挿通させて前記係合突起を前記開口窓に係合させ、前記十字基部を前記内挿十字凹部に着脱自在にした請求項１に記載の中央折曲型払拭体把持具。
【請求項３】
前記押ボタンでは前記頭板部から周囲に押ボタン環状縁を有して前記筒部を突設し、前記板状面にスプリング用環状溝を形成し、スプリング端とスプリング他端を両端とするスプリングを配置し、前記スプリング端が前記スプリング用環状溝に当接するまで前記スプリングを前記環状部から挿入し、前記筒部を前記スプリングの内部に挿入し前記スプリング他端を前記押ボタン環状縁で押圧しながら前記頭板部が前記環状部の近傍に位置するまで前記押ボタンを押し込む請求項２に記載の中央折曲型払拭体把持具。
【請求項４】
前記狭持側把持具と前記内挿側把持具を略水平状態にすると、前記スプリングのバネ力により前記押ボタンが前記環状部から突状態になり、前記十字係止具の前記十字基部が前記内挿環状部の前記内挿十字凹部に嵌合して前記狭持側把持具と前記内挿側把持具が回動不能状態にロックされ、前記頭板部を押すと前記スプリングが圧縮されながら前記押ボタンが前進し、前記筒部の筒先端が前記十字基部の十字基部主面を押圧して前記十字基部が前記内挿環状部の前記内挿十字凹部から離脱し、前記狭持側把持具と前記内挿側把持具のロック解除が実現されて相互に回動可能状態になる請求項３に記載の中央折曲型払拭体把持具。
【請求項５】
前記押ボタンを押圧して払拭体把持具を前記回動不能状態から前記回動可能状態にし、前記狭持側把持具と前記内挿側把持具を相互に回動して前記略水平状態から垂下させ、垂下した前記狭持側把持具の前記基軸部を払拭体の一方の支持部に挿入し、また垂下した前記内挿側把持具の前記基軸部を払拭体の他方の支持部に挿入し、その後に前記狭持側把持具の前記基軸部と前記内挿側把持具の前記基軸部を相互に回動して前記略水平状態に復帰させ、前記スプリングのバネ力により前記押ボタンが前記環状部から突状態になって前記狭持側把持具と前記内挿側把持具が回動不能状態になる請求項４に記載の中央折曲型払拭体把持具。
【請求項６】
前記外側十字孔は対向する２個の外側太孔と対向する２個の外側細孔が十字状に配置されて形成され、前記内挿十字凹部は対向する２個の内挿太凹部と対向する２個の内挿細凹部が十字状に配置されて形成され、前記十字基部は対向する２個の太軸と対向する２個の細軸が十字状に配置されて形成され、ロック状態では、２個の前記太軸が２個の前記外側太孔に挿通して２個の前記内挿太凹部に嵌合し、且つ２個の前記細軸が２個の前記外側細孔に挿通して２個の前記内挿細凹部に嵌合して回動不能になり、ロック解除状態では、２個の前記太軸が２個の前記外側太孔に挿通するが２個の前記内挿太凹部から離脱し、且つ２個の前記細軸が２個の前記外側細孔に挿通するが２個の前記内挿細凹部から離脱して回動可能になる請求項３〜５のいずれかに記載の中央折曲型払拭体把持具。
【請求項７】
前記押ボタンを押圧して払拭体把持具を前記回動不能状態から前記回動可能状態にし、前記押ボタンを押圧した状態で前記狭持側把持具と前記内挿側把持具を相互に多少回動させると、前記押ボタンを押さなくても前記太軸が前記外側太孔に挿通した状態で前記内挿太凹部から離脱し、且つ前記細軸が前記外側細孔に挿通した状態で前記内挿細凹部から離脱して前記回動可能状態が維持され、前記狭持側把持具と前記内挿側把持具の相互の回動角度が１８０度未満の状態で前記押ボタンを押さなくても前記回動可能状態が維持される請求項６に記載の中央折曲型払拭体把持具。
【請求項８】
前記狭持側把持具は前記突板部と前記環状部から傾斜軸部を介して前記基軸部に至る構造であり、且つ前記傾斜軸部と前記基軸部とは傾斜角度θ１（＜９０度）だけ相互に傾斜して形成されており、また前記内挿側把持具は前記内挿環状部から傾斜軸部を介して前記基軸部に至る構造であり、同様に前記傾斜軸部と前記基軸部とは傾斜角度θ２（＜９０度）だけ相互に傾斜して形成されており、前記回動可能状態で前記狭持側把持具と前記内挿側把持具を相互に回動して両者の前記傾斜軸部の内側傾斜面が相互に接触する最大回動角度θｍでは、θｍ＝１８０−（θ１＋θ２）になり、θｍ＜１８０（度）が成立し、この最大回動角度θｍでも前記回動可能状態が維持される請求項５に記載の中央折曲型払拭体把持具。
【請求項９】
前記内挿側把持具の前記内挿環状部の上側に軸受孔を有する軸受部を設け、前記軸受部にハンドルを取着可能にした請求項３〜８のいずれかに記載の中央折曲型払拭体把持具。
【請求項１０】
請求項９に記載の払拭体把持具を用い、この払拭体把持具の前記狭持側把持具と前記内挿側把持具を払拭体の支持部に装着し、前記軸受部にハンドルを取着したことを特徴とする清掃用具。
【発明の詳細な説明】
【技術分野】
【０００１】
本発明は、床面や壁面を清掃するために払拭体の袋状部に払拭体把持具を挿脱自在に装着した清掃用具に関し、特に垂下状態で払拭体の袋状部に挿入でき、水平状態に復帰後にロック状態にして払拭体を確実に把持できる払拭体把持具及びそれを使用した清掃用具に関する。
【背景技術】
【０００２】
従来から、この種の清掃用具としてハンディタイプや長尺ハンドルタイプのものが広く利用されている。特に、長尺ハンドルタイプの清掃用具として、特開２０１２−２０５６３７（特許文献１）には、押ボタンを押して水平状態にある２本の把持具のロック状態を解除し、２本の把持具が自重で垂下するまで回動し、垂下状態で払拭体の左右の袋状部に２本の把持具を夫々挿入させ、その後手動操作で垂下状態にある２本の把持具を逆回動させて水平状態に復帰させ、水平状態に復帰すると機械的作用でロックされる機構が開示されている。
【０００３】
図１５は特許文献１に図示された図面で、左右の把持具を水平状態と垂下状態に切り換える機構図である。（１５Ａ）及び（１５Ｂ）が左右把持具の水平ロック状態を示し、（１５Ｃ）及び（１５Ｄ）がロック解除された左右把持具の垂下状態を示している。
【０００４】
（１５Ａ）において、パイプ挿入部１２１の揺動軸部１０９は雌ねじ部１５２により軸受部１５４に揺動自在に取着されている。左右の把持具に相当する中空体１１２、１１３は、中央の連結部材１２０にある保持部１１６、１１７の連結端１１４、１１５に夫々連結され、ロックボタン１１８を押圧したときに、回動軸穴１１９、１１９の周りに水平状態から垂下状態へと回動可能に設けられている。左右の貫通穴１１０ｄ、１１１ｄに前記貫通軸穴１１９、１１９が挿通され、前記中空体１１２、１１３が回動可能に設定されている。
（１５Ｂ）から分かるように、中空体１１２、１１３の突部１１０、１１１が左右の縦溝１２０ｃ、１２０ｃに挿入され、その先端の段状係合部１１０ｃ、１１１ｃが前記ロックボタンの係合脚部１１８ａ、１１８ａに係合して、前記中空体１１２、１１３の回動が不能にされ、水平ロック状態が保持されている。ロックボタン１１８はコイルバネ１２２の弾発付勢により突状態にあり、その結果、前記係合脚部１１８ａ、１１８ａが前記段状係合部１１０ｃ、１１１ｃに係合してロック状態が保持される。
【０００５】
（１５Ｃ）及び（１５Ｄ）から分かるように、ロックボタン１１８を没状態まで押圧すると、係合脚部１１８ａ、１１８ａが段状係合部１１０ｃ、１１１ｃから外れ、中空体１１２、１１３は回動可能になる。ロックボタン１１８を押し続けると、前記回動可能状態で中空体１１２、１１３は回動軸穴１１９、１１９の周りに自重で回動して垂下位置に達し、（１５Ｃ）の状態が実現する。
また、この垂下状態で前記中空体１１２、１１３を払拭体の袋状部に挿着し、前記中空体１１２、１１３を垂下状態から水平状態にまで手動で逆回動させると、コイルバネ１２２の付勢力によりロックボタン１１８は没状態から突状態に復帰し、そのとき前記係合脚部１１８ａ、１１８ａが前記段状係合部１１０ｃ、１１１ｃに係合してロック状態になり、清掃用モップが完成する。
【先行技術文献】
【特許文献】
【０００６】
【特許文献１】特開２０１２−２０５６３７号公報
【発明の概要】
【発明が解決しようとする課題】
【０００７】
特許文献１の前記払拭体把持具は、通常モップの把持具に要求される耐久性を有する必要がある。しかしながら、レンタルモップの場合には、需要者が想像できないような使用形態をとることがある。例えば、モップの両端を足で踏み突然大きな力で無理に引き抜いたりすることがあり、想像を超える過剰な応力が前記段状係合部１１０ｃ、１１１ｃと前記係合脚部１１８ａ、１１８ａの係合領域に作用する。
特許文献１では、突部１１０、１１１はやや細めの棒状体であり、段状係合部１１０ｃ、１１１ｃは前記突部１１０、１１１の先端に形成された小さな段部である。左右の小さな段部にロックボタン１１８の左右の係合脚部１１８ａが係合しているだけであるから、左右合わせて係合点は２箇所だけである。これら２箇所の小係合では、通常使用には堪え得ても、常軌を逸した過度の応力に対しては更に一層の強度の増強を図る必要がある。
【０００８】
従って、本発明に係る中央折曲型払拭体把持具では、従来のように把持具の先端を同軸状に細めた突部に係合部を設ける発想から離れ、一方の把持具の先端に間隙を介して大きな突板部と大きな環状部を対向形成し、他方の把持部の先端に前記間隙に内挿される内挿環状部を設けて、両把持部の先端同士を内挿嵌合して狭持する構造にし、大面積係合を実現し、係合点数も２点以上に多くして、両把持部の係合耐力を増大させ、両把持部に常軌を逸した応力が作用しても、前記係合耐力により係合状態を長期に亘り保持できる、耐久性に優れた中央折曲型払拭体把持具を提供することを目的とする。
【課題を解決するための手段】
【０００９】
本発明は、上記課題を解決するために提案されたものであって、本発明の第１の形態は、一端側では外側複数孔を穿孔した突板部と環状部が間隙部を介して突設され他端側では払拭体の一方に取着される基軸部が形成された狭持側把持具と、また一端側では内挿環状部が突設されて内挿環状部表面と内挿環状部裏面を貫通する内挿軸孔部が形成され前記内挿環状部裏面には内挿複数凹部が形成され他端側では前記払拭体の他方に取着される基軸部が形成された内挿側把持具と、複数突状基部から連結部Ａが突設された突状係止具と、頭板部から突設された連結部Ｂを有する押ボタンと、前記内挿環状部表面が前記環状部と対面するように前記内挿環状部を前記環状部と前記突板部の間に形成された前記間隙部に内挿して前記狭持側把持具と前記内挿側把持具が組立られ、前記連結部Ｂを前記環状部から前記内挿軸孔部に挿入し前記頭板部が前記環状部に位置するまで前記押ボタンを押し込み、前記複数突状基部を前記突板部の前記外側複数孔に挿通させ前記連結部Ａと前記連結部Ｂを連結させることにより前記突状係止具と前記押ボタンを一体化させ、前記複数突状基部を前記内挿複数凹部に着脱自在にして前記狭持側把持具と前記内挿側把持具のロック及びロック解除を行う中央折曲型払拭体把持具である。
【００１０】
本発明の第２の形態は、外側複数孔を外側十字孔とし、前記内挿複数凹部を内挿十字凹部とし、前記複数突状基部を十字基部として前記突状係止具を十字係止具とし、前記連結部Ａを係合突起とし、前記連結部Ｂを開口窓を有する筒部とし、前記十字基部を前記外側十字孔に挿通させて前記係合突起を前記開口窓に係合させ、前記十字基部を前記内挿十字凹部に着脱自在にした中央折曲型払拭体把持具である。
【００１１】
本発明の第３の形態は、前記押ボタンでは前記頭板部から周囲に押ボタン環状縁を有して前記筒部を突設し、前記板状面にスプリング用環状溝を形成し、スプリング端とスプリング他端を両端とするスプリングを配置し、前記スプリング端が前記スプリング用環状溝に当接するまで前記スプリングを前記環状部から挿入し、前記筒部を前記スプリングの内部に挿入し前記スプリング他端を前記押ボタン環状縁で押圧しながら前記頭板部が前記環状部の近傍に位置するまで前記押ボタンを押し込む中央折曲型払拭体把持具である。
【００１２】
本発明の第４の形態は、前記狭持側把持具と前記内挿側把持具を略水平状態にすると、前記スプリングのバネ力により前記押ボタンが前記環状部から突状態になり、前記十字係止具の前記十字基部が前記内挿環状部の前記内挿十字凹部に嵌合して前記狭持側把持具と前記内挿側把持具が回動不能状態にロックされ、前記頭板部を押すと前記スプリングが圧縮されながら前記押ボタンが前進し、前記筒部の筒先端が前記十字基部の十字基部主面を押圧して前記十字基部が前記内挿環状部の前記内挿十字凹部から離脱し、前記狭持側把持具と前記内挿側把持具のロック解除が実現されて相互に回動可能状態になる中央折曲型払拭体把持具である。
【００１３】
本発明の第５の形態は、前記押ボタンを押圧して払拭体把持具を前記回動不能状態から前記回動可能状態にし、前記狭持側把持具と前記内挿側把持具を相互に回動して前記略水平状態から垂下させ、垂下した前記狭持側把持具の前記基軸部を払拭体の一方の支持部に挿入し、また垂下した前記内挿側把持具の前記基軸部を払拭体の他方の支持部に挿入し、その後に前記狭持側把持具の前記基軸部と前記内挿側把持具の前記基軸部を相互に回動して前記略水平状態に復帰させ、前記スプリングのバネ力により前記押ボタンが前記環状部から突状態になって前記狭持側把持具と前記内挿側把持具が回動不能状態になる中央折曲型払拭体把持具である。
【００１４】
本発明の第６の形態は、前記外側十字孔は対向する２個の外側太孔と対向する２個の外側細孔が十字状に配置されて形成され、前記内挿十字凹部は対向する２個の内挿太凹部と対向する２個の内挿細凹部が十字状に配置されて形成され、前記十字基部は対向する２個の太軸と対向する２個の細軸が十字状に配置されて形成され、ロック状態では、２個の前記太軸が２個の前記外側太孔に挿通して２個の前記内挿太凹部に嵌合し、且つ２個の前記細軸が２個の前記外側細孔に挿通して２個の前記内挿細凹部に嵌合して回動不能になり、ロック解除状態では、２個の前記太軸が２個の前記外側太孔に挿通するが２個の前記内挿太凹部から離脱し、且つ２個の前記細軸が２個の前記外側細孔に挿通するが２個の前記内挿細凹部から離脱して回動可能になる中央折曲型払拭体把持具である。
【００１５】
本発明の第７の形態は、前記押ボタンを押圧して払拭体把持具を前記回動不能状態から前記回動可能状態にし、前記押ボタンを押圧した状態で前記狭持側把持具と前記内挿側把持具を相互に多少回動させると、前記押ボタンを押さなくても前記太軸が前記外側太孔に挿通した状態で前記内挿太凹部から離脱し、且つ前記細軸が前記外側細孔に挿通した状態で前記内挿細凹部から離脱して前記回動可能状態が維持され、前記狭持側把持具と前記内挿側把持具の相互の回動角度が１８０度未満の状態で前記押ボタンを押さなくても前記回動可能状態が維持される中央折曲型払拭体把持具である。
【００１６】
本発明の第８の形態は、前記狭持側把持具は前記突板部と前記環状部から傾斜軸部を介して前記基軸部に至る構造であり、且つ前記傾斜軸部と前記基軸部とは傾斜角度θ１（＜９０度）だけ相互に傾斜して形成されており、また前記内挿側把持具は前記内挿環状部から傾斜軸部を介して前記基軸部に至る構造であり、同様に前記傾斜軸部と前記基軸部とは傾斜角度θ２（＜９０度）だけ相互に傾斜して形成されており、前記回動可能状態で前記狭持側把持具と前記内挿側把持具を相互に回動して両者の前記傾斜軸部の内側傾斜面が相互に接触する最大回動角度θｍでは、θｍ＝１８０−（θ１＋θ２）になり、θｍ＜１８０（度）が成立し、この最大回動角度θｍでも前記回動可能状態が維持される中央折曲型払拭体把持具である。
【００１７】
本発明の第９の形態は、前記内挿側把持具の前記内挿環状部の上側に軸受孔を有する軸受部を設け、前記軸受部にハンドルを取着可能にした中央折曲型払拭体把持具である。
【００１８】
本発明の第１０の形態は、第９形態に記載の払拭体把持具を用い、この払拭体把持具の前記狭持側把持具と前記内挿側把持具を払拭体の支持部に装着し、前記軸受部にハンドルを取着した清掃用具である。
【発明の効果】
【００１９】
本発明の第１の形態によれば、比較的大きな内挿環状部を比較的大きな環状部と突板部の間に形成された間隙部に内挿して前記狭持側把持具と前記内挿側把持具が組立られるから、組立連結領域が比較的大きく回動や捩りに対する耐力を大きく設計できる。また、突状係止具の複数突状基部を前記突板部の外側複数孔に挿通させるから、複数突状基部と外側複数孔とが複数点で係合し、しかも複数突状基部と外側複数孔とは大きく設計できるから、係合耐力の増大を図れる。更に、突状係止具の連結部Ａを押ボタンの連結部Ｂに螺合や無理嵌め等の手段で容易に分離しないように連結させるから、強力に一体化でき、分離することは無い。しかも、押ボタンを押した没状態では、複数突状基部が内挿複数凹部から離脱しロックが解除されて前記狭持側把持具と前記内挿側把持具は相互に回動可能になり、また突状係止具を押して押ボタンを突状態に復帰させると、複数突状基部が内挿複数凹部に係合しロックが復活して前記狭持側把持具と前記内挿側把持具は相互に回動不能になることができる。複数突状基部と内挿複数凹部とは複数点で係合し、しかも複数突状基部と内挿複数凹部とは大きく設計できるから、係合耐力の増大を図れる。従って、本第１形態では、係合の着脱に寄与する複数突状基部と外側複数孔と内挿複数凹部とが構造的に大きく設計でき、しかも複数点で係合するから、係合耐力を飛躍的に増大できる効果がある。複数とは２以上のことであり、２点係合から、３点係合、４点係合、５点係合、６点係合、７点係合、８点係合、更にそれ以上へと係合点を増大できる特徴を有する。これらについては、図１１及び図１２に図示されている。この第１形態では、スプリングが無くても手動で押ボタンや突状係止具を押圧することにより係合の着脱を構成でき、スプリングを付加的に用いれば手動で押ボタンを押すだけでロックでき、ロック解除は特定位置関係でスプリングの復帰力により自動的に行われる。
【００２０】
本発明の第２の形態によれば、外側複数孔を外側十字孔とし、内挿複数凹部を内挿十字凹部とし、複数突状基部を十字基部として突状係止具を十字係止具としており、十字基部は十字状の４個の突起、外側十字孔は十字状の４個の孔、内挿十字凹部は十字状の４個の凹部を意味し、４個の突起が４個の孔に内嵌した状態で、４個の前記突起が４個の凹部に着脱することを意味している。即ち、上述した４点係合であるから係合力を増大でき、しかも十字構成では比較的大きな部材に形成できるから回動や捩りに対する耐力も増強でき、需要者の荒い使用条件にも十分に耐えることが可能になる。即ち、４個の前記突起が４個の凹部から脱離すると、前記狭持側把持具と前記内挿側把持具とはロック解除により回動可能になり、４個の前記突起を４個の凹部に係合させると、前記狭持側把持具と前記内挿側把持具とはロックされて回動不能になる。また、前記連結部Ａを係合突起とし、前記連結部Ｂを開口窓を有する筒部とするから、係合突起を筒部に圧入状に無理に挿入させて係合突起が無理圧で狭まり、開口窓に達した段階で係合突起が無理圧から解放されて自然に開き、係合突起が開口窓に係合する。従って、無理嵌め係合になり、係合突起が開口窓に係合すると、係合突起を筒部から抜脱することは不可能になる。
【００２１】
本発明の第３の形態によれば、内挿環状部表面側に形成されたスプリング用環状溝にスプリングを当接させ、押ボタンの筒部をスプリングの内部に挿入してスプリング他端を押ボタン環状縁で押圧して圧縮させながら、押ボタンの頭板部が前記環状部の近傍に位置するまで押圧する中央折曲型払拭体把持具が提供される。押ボタンと十字係止具とは係合突起により一体化しており、押ボタンを更に押して頭板部が内部に挿入される押ボタンの没状態では、十字係止具の十字基部が内挿十字凹部から離脱し、前記狭持側把持具と前記内挿側把持具とはロック解除されて回動可能状態になる。また、回動可能状態のまま少し回動させると押ボタンから手指を離しても十字基部が形状不一致により内挿十字凹部への復入が阻止される。逆に、前記回動可能状態で押ボタンから手指を離すと、スプリングのバネ力により押ボタンは押し戻され十字基部が内挿十字凹部に再び係合し押ボタンは突状態になり、前記狭持側把持具と前記内挿側把持具とは再ロックされて回動不能状態になる。このように、スプリングにより回動可能状態から回動不能状態へ自動復帰させることができる。
【００２２】
本発明の第４の形態によれば、前記狭持側把持具と前記内挿側把持具を略水平状態にすると、前記スプリングのバネ力により前記押ボタンが前記環状部から突状態になり、前記十字係止具の前記十字基部が前記内挿環状部の前記内挿十字凹部に嵌合して前記狭持側把持具と前記内挿側把持具が回動不能状態にロックされ、前記頭板部を押すと前記スプリングが圧縮されながら前記押ボタンが前進し、前記筒部の筒先端が前記十字基部の十字基部主面を押圧して前記十字基部が前記内挿環状部の前記内挿十字凹部から離脱し、前記狭持側把持具と前記内挿側把持具のロック解除が実現されて相互に回動可能状態になる中央折曲型払拭体把持具を提供できる。この第４形態の特徴点は、狭持側把持具と内挿側把持具を略水平状態にすると、押ボタンを押さなければスプリングのバネ力で押ボタンが突状態になり、ロック状態に入って相互に回動不能になり、遅ボタンを押すとロック解除状態に入って相互に回動可能になる。水平状態のロック状態では、狭持側把持具と内挿側把持具に払拭体を装着させておくと、床面や壁面の清掃が実現できる。また、水平状態で押ボタンを押すと、ロックが解除されて回動可能状態になり、把持具の自重で、払拭体を装着すると払拭体の自重が加わって把持具が自由回動することになる。
【００２３】
本発明の第５の形態によれば、前記押ボタンを押圧して払拭体把持具を前記回動不能状態から前記回動可能状態にし、前記狭持側把持具と前記内挿側把持具を相互に回動して前記略水平状態から垂下させ、垂下した前記狭持側把持具の前記基軸部を払拭体の一方の支持部に挿入し、また垂下した前記内挿側把持具の前記基軸部を払拭体の他方の支持部に挿入し、その後に前記狭持側把持具の前記基軸部と前記内挿側把持具の前記基軸部を相互に回動して前記略水平状態に復帰させ、前記スプリングのバネ力により前記押ボタンが前記環状部から突状態になって前記狭持側把持具と前記内挿側把持具が回動不能状態になる中央折曲型払拭体把持具を提供できる。払拭体の支持部には、払拭体の内部に形成された袋状孔部もあれば、払拭体の上面のキャンバスに形成されたカバー部や袋状部もある。払拭体を二つ折りに垂下させると、垂下状態にある二つの把持具を、払拭体の左右にある支持部に比較的簡単に挿入取着できる。略水平状態とは、水平状態や水平近似状態を包含する概念である。
【００２４】
本発明の第６の形態によれば、前記外側十字孔は対向する２個の外側太孔と対向する２個の外側細孔が十字状に配置されて形成され、前記内挿十字凹部は対向する２個の内挿太凹部と対向する２個の内挿細凹部が十字状に配置されて形成され、前記十字基部は対向する２個の太軸と対向する２個の細軸が十字状に配置されて形成されている。従って、押ボタンが突状態のとき、二つの把持具が略水平状態であるから、２個の前記太軸が２個の前記外側太孔に挿通して２個の前記内挿太凹部に嵌合し、且つ２個の前記細軸が２個の前記外側細孔に挿通し２個の前記内挿細凹部に嵌合して把持具が相互に回動不能なロック状態が実現される。また、押ボタンを押圧して押ボタンを没状態にすると、ロック解除状態となり、２個の前記太軸が２個の前記外側太孔に挿通するが２個の前記内挿太凹部から離脱し、且つ２個の前記細軸が２個の前記外側細孔に挿通するが２個の前記内挿細凹部から離脱して回動可能になり、ロック状態とロック解除状態を選択できる中央折曲型払拭体把持具を提供できる。
【００２５】
本発明の第７の形態によれば、前記押ボタンを押圧して払拭体把持具を前記回動不能状態から前記回動可能状態にすると、前記太軸が前記外側太孔に挿通した状態で前記内挿太凹部から離脱し、且つ前記細軸が前記外側細孔に挿通した状態で前記内挿細凹部から離脱して前記回動可能状態となる。そして前記押ボタンを押圧した状態で前記狭持側把持具と前記内挿側把持具を相互に多少回動させると、前記太軸が前記内挿太凹部の真上から変移した位置に外れ、前記押ボタンを押さなくても十字係止具は復帰せずロック解除状態（即ち、回動可能状態）が維持される。前記狭持側把持具と前記内挿側把持具の相互の回動角度が１８０度未満の状態では、前記太軸は前記内挿太凹部と１８０度だけ反対側にある内挿太凹部から少し手前の角度点に位置しているから、十字係止具は復帰せずにロック解除状態が保持されている。従って、この状態で払拭体を把持具に装着し、再び把持具を略水平状態に戻せば、前記太軸は元の内挿太凹部の位置まで戻ってバネ力で自動嵌合し、十字係止具は内挿十字凹部に係合してロック状態に復帰する。
【００２６】
本発明の第８の形態によれば、前記狭持側把持具は前記突板部と前記環状部から傾斜軸部を介して前記基軸部に至る構造であり、且つ前記傾斜軸部と前記基軸部とは傾斜角度θ１（＜９０度）だけ相互に傾斜して形成されている。また、前記内挿側把持具は前記内挿環状部から傾斜軸部を介して前記基軸部に至る構造であり、同様に前記傾斜軸部と前記基軸部とは傾斜角度θ２（＜９０度）だけ相互に傾斜して形成されている。従って、回動可能状態で前記狭持側把持具と前記内挿側把持具を相互に回動し、両者の前記傾斜軸部の内側傾斜面が相互に接触するまで回動させると、両把持具の回動角度θは最大回動角度θｍに達する。理論上、最大回動角度θｍは、θｍ＝１８０−（θ１＋θ２）で表される。θｍ＜１８０（度）が常に成立しているから、前記第７形態の論述に基づいて、この最大回動角度θｍでも前記回動可能状態が維持されることになる。従って、鋭角の傾斜角度θ１、θ２を設定するだけで、両把持具の回動中には元の略水平状態に復帰しない限り、回動可能状態が維持されることができる。即ち、押ボタンを押してロックを解除し、少し回動させれば、手指を押ボタンから外しても回動可能状態が維持され、最大回動角度まで回動させても回動可能状態が保持される。両把持具を元の略水平状態に戻して初めてバネ力によりロック状態に復帰し、回動不能状態に戻ることになる。
【００２７】
本発明の第９の形態によれば、前記内挿側把持具の前記内挿環状部の上側に軸受孔を有する軸受部を設け、前記軸受部にハンドルを取着可能にした中央折曲型払拭体把持具を提供できる。この軸受部にハンドル受管を揺動自在に軸支し、このハンドル受管にハンドルを挿着することによって清掃用具本体を構成できる。
【００２８】
本発明の第１０の形態によれば、第９形態に記載の払拭体把持具を用い、この払拭体把持具の前記狭持側把持具と前記内挿側把持具を払拭体の支持部に装着し、前記軸受部にハンドルを取着することによって清掃用具を提供できる。払拭体の支持部には、払拭体の内部に形成された袋状孔部もあれば、払拭体の上面のキャンバスに形成されたカバー部や袋状部もある。
【図面の簡単な説明】
【００２９】
【図１】図１は、本発明に係る払拭体把持具を押ボタン側から見た表側分解斜視図である。
【図２】図２は、本発明において、スプリングと内挿側把持具との嵌合関係を示す嵌合関係斜視図である。
【図３】図３は、本発明に使用される十字係止具の詳細図である。
【図４】図４は、本発明に使用される押ボタンの詳細図である。
【図５】図５は、本発明に係る払拭体把持具を十字係止具側から見た裏側分解斜視図である。
【図６】図６は、図５に示されている本発明に使用される内挿側把持具の要部拡大斜視図である。
【図７】図７は、本発明に係る払拭体把持具が水平状態でロック状態にある水平状態ロック詳細図である。
【図８】図８は、本発明に係る払拭体把持具が水平状態でロック解除される水平状態ロック解除詳細図である。
【図９】図９は、本発明において、払拭体把持具をロック解除して内挿側把持具を９０度だけ回動して垂下させた回動途中詳細図である。
【図１０】図１０は、本発明において、ロック解除状態で内挿側把持具と狭持側把持具の内側傾斜面が当接するまで内挿側把持具を回動させた回動限界詳細図である。
【図１１】図１１は、スプリングを外すことによりスプリング付勢を用いずに手指で押ボタンを突没させる場合の本発明の要部断面図であり、把持具水平状態でのロック状態図及びロック解除での把持具回動状態を示す。
【図１２】図１２は、本発明において、十字以外の形状、例えば直線状・六角状・八角状等を有した把持具の水平ロック状態及びロック解除状態を示す概略説明図である。
【図１３】図１３は、本発明において、（１０Ａ）の払拭体把持具に払拭体を装着する手順工程図である。
【図１４】図１４は、本発明において、払拭体を装着して水平状態でロックされた払拭体把持具にハンドルが連結された清掃用具の正面図である。
【図１５】図１５は、従来例である特許文献１（特開２０１２−２０５６３７）において、左右の把持具を水平状態と垂下状態に切り換える機構図である。
【発明を実施するための形態】
【００３０】
以下に、本発明に係る中央折曲型払拭体把持具及び清掃用具の実施形態を添付する図面に従って詳細に説明する。
【００３１】
図１は、本発明に係る払拭体把持具を押ボタン側から見た表側分解斜視図である。払拭体把持具１は、大きく分けると、狭持側把持具１０と内挿側把持具３０と十字係止具５０と押ボタン７０とスプリング９０から組み立てられている。
狭持側把持具１０は、後述する払拭体に挿着される基軸部１２とこれに連続する傾斜軸部１４からなり、傾斜軸部１４の先端には環状部１５と突板部２３が間隙部２０を介して対向配置され、環状部１５と突板部２３とは同軸状にあり、この同軸方向は傾斜軸部１４の軸方向とは直交している。傾斜軸部１４の内側傾斜面１４ａに対し前記基軸部１２は傾斜角度θ１（度）だけ傾斜形成されている。環状部１５は環状内周面１６と環状外周面１７を有したリング状に形成され、上端は環状上部１９になり、内部に円孔１８を有している。突板部２３には外側十字孔２４が穿設されており、外側十字孔２４は対向した外側太孔２４ａ、２４ａと外側細孔２４ｂ、２４ｂが十字状に貫通して形成されている。前記環状部１５と前記突板部２３を一定距離だけ離間させている間隙部２０は間隙奥壁部２１まで空間領域である。
【００３２】
また、図１において、内挿側把持具３０は、後述する払拭体に挿着される基軸部３２とこれに連続する傾斜軸部３４からなり、傾斜軸部３４の先端には内挿環状部３６と直立板４７を介して軸受部４８が形成されている。傾斜軸部３４の内側傾斜面３４ａに対し前記基軸部３２は傾斜角度θ２（度）だけ傾斜形成されている。内挿環状部３６は内挿環状内周面３５と内挿環状外周面３７を有したリング状に形成され、その側面には内挿環状部表面３６ａを有し、その内部に内挿軸孔部３９が穿孔されている。内挿環状部表面３６ａにはスプリング用環状溝３８が穿設され、内挿環状部３６の上部には傾斜軸部３４の上面に連続する内挿環状上部４０が形成されている。また、前記軸受部４８には軸受孔４９が穿孔されており、前記軸受部４８にはハンドル受管（図示せず）が揺動自在に軸支され、ハンドル受管にハンドル（図示せず）が挿着される。
【００３３】
更に、図１において、十字係止具５０は、十字基部５２と、この十字基部５２の十字基部主面５４ａから突設された係合突起６０、６０から構成されている。十字基部５２は、対向配置された太軸５２ａ、５２ａと細軸５２ｂ、５２ｂを十字状に配置して形成されている。スプリング９０は、スプリング端９０ａを前記環状部１５に向け、スプリング他端９０ｂを押ボタン７０に向けて配置されている。
押ボタン７０は、頭板部７２と、その板頭部７２の外周縁に押ボタン環状縁７１を有して突設された筒部７４から構成される。筒部７４の下方には２個の開口窓７６、７６が設けられ、開口窓７６、７６から先端に連続する筒部７４には２個の薄肉部７８、７８が形成されている。
【００３４】
図１の各部材を組み立てるには、まず内挿環状部３６を間隙部２０に挿入し、間隙奥壁部２１に達するまで押入する。次に、スプリング９０のスプリング端９０ａを環状部１５の円孔１８に挿入し、前記スプリング端９０ａを内挿環状部３６のスプリング用環状溝３８に押入する。そして、十字係止具５０の係合突起６０、６０を突板部２３の外側十字孔２４から挿入させ、十字基部５２を外側十字孔２４に内挿する。このとき、太軸５２ａ、５２ａは外側太孔２４ａ、２４ａに挿入され、細軸５２ｂ、５２ｂは外側細孔２４ｂ、２４ｂに挿入される。更に、図５で後述するように、十字基部５２は内挿環状部３６の内挿環状部裏面３６ｂに形成された内挿十字凹部４１に押入される。その結果、係合突起６０、６０は円孔１８の内部に突出した状態になっている。最後に、押ボタン７０の筒部７４をスプリング９０のスプリング他端９０ｂから挿入させ、押ボタン７０を押圧すると、前記係合突起６０、６０が筒部７４の内部に挿入され、係合突起６０、６０が薄肉部７８、７８で圧迫されて狭まり開口窓７６、７６に到達すると自力で拡がって開口窓７６、７６に係合する。これにより、十字係止具５０と押ボタン７０とはスプリング９０のバネ力を内包しながら前記無理嵌め係合により一体化する。同時に、狭持側把持具１０と内挿側把持具３０と十字係止具５０と押ボタン７０とスプリング９０が固く一体化されて払拭体把持具１が組立完成される。
【００３５】
図２は、本発明において、スプリングと内挿側把持具との嵌合関係を示す嵌合関係斜視図である。内挿環状部３６の内挿環状部表面３６ａには、スプリング用環状溝３８が穿設されている。環状部１５の円孔１８に挿通されたスプリング９０は、そのスプリング端９０ａが前記スプリング用環状溝３８に当接するまで押入される。スプリング９０はスプリング用環状溝３８を固定端として圧縮・伸長し、押ボタン７０を押さないときは伸長状態で押ボタン７０は突状態、押すときは圧縮状態で押ボタン７０は没状態になる。
【００３６】
図３は、本発明に使用される十字係止具の詳細図である。（３Ａ）は十字係止具５０を係合突起６０から見た斜視図である。十字係止具５０の係合突起側面が十字基部主面５４ａであり、その反対側面が十字基部裏面５４ｂである。十字基部５２のサイズは十字基部厚Ｔ、太軸幅Ｄ、細軸幅ｄにより与えられる。また係合突起６０は、係合柱部６２と段差部６６と係合爪６４から構成される。係合突起６０のサイズは係合突起長Ｓ１、柱部長Ｓ２により与えられる。（３Ｂ）は、十字係止具５０を十字基部５２から見た斜視図である。太軸５２ａ、５２ａと細軸５２ｂ、５２ｂが十字状に配置されている。（３Ｃ）は、十字係止具５０の縦断面図である。十字基部５２の中には中空部５６が穿設され、係合突起６２、６２は中空部５６の内壁面に連続して直立形成されている。
【００３７】
図４は、本発明に使用される押ボタンの詳細図である。（４Ａ）は押ボタン７０を頭板部７２から見た斜視図、（４Ｂ）は押ボタン７０を筒部７４から見た斜視図、（４Ｃ）は押ボタン７０の縦断面図である。頭板部７２の下面には周囲に押ボタン環状縁７１を有して筒部７４が突設され、筒部７４の根元には２個の開口窓７６が穿設されている。開口窓７６から下側の筒部壁は薄肉部７８であり、この薄肉部７８の内面は中に入るに従って狭くなるテーパ面７８ａに形成されている。前述した十字係止具５０の係合突起６０がテーパ面７８ａに従って進入すると、係合突起６０、６０はテーパ面７８ａにより狭まり、更に進入すると係合爪６４、６４が開口窓７６、７６から外方に開き、十字係止具５０と押ボタン７０とは無理嵌めにより一体化する。係合爪６４が開口窓７６に入るためには、筒部長Ｌ１は係合突起長Ｓ１以上であり、且つ薄肉部長Ｌ２は柱部長Ｓ２以下に設計される必要がある。
前記一体化により、筒先端７５は十字基部主面５４ａに当接し、押ボタン７０を押圧すると筒先端７５が十字基部主面５４ａを押し、両者は一体に前進して押ボタン７０は没状態になる。逆に、十字基部裏面５４ｂを押圧すると、十字基部主面５４ａが筒先端７５を押し、両者は一体となって後退する。スプリング９０が押ボタン環状縁７１に当接している場合には、押ボタン７０の押圧はスプリング９０を圧縮させることになり、逆に手指による押圧を止めると、スプリング９０のバネ力により押ボタン７０は元の突状態にまで復帰することになる。
【００３８】
図５は、本発明に係る払拭体把持具を十字係止具側から見た裏側分解斜視図である。要するに、図５は図１を背面から見た分解斜視図である。狭持側把持具１０の突板部２３の構造が明瞭になっている。突板部２３は突板部外周面２３ｃの厚みを有し、その外表面には環状縁２５が形成され、この環状縁２５から外側段差２５だけ落ち込んだ面に外側十字孔２４が穿設されている。前述したように、外側十字孔２４は外側太孔２４ａ、２４ａと外側細孔２４ｂ、２４ｂにより十字状に穿設形成されている。他方、内挿側把持具３０では、内挿環状部３６の内挿環状部裏面３６ｂには、内挿十字凹部４１が穿設されている。この内挿十字凹部４１は対向する２個の内挿太凹部４１ａ、４１ａと内挿細凹部４１ｂ、４１ｂが形成され、その中央には内挿軸孔部３９が穿孔されている。
十字係止具５０の太軸５２ａ、５２ａと細軸５２ｂ、５２ｂは、突板部２３の外側太孔２４ａ、２４ａと外側細孔２４ｂ、２４ｂに挿入され、更に内挿環状部３６の内挿太凹部４１ａ、４１ａと内挿細凹部４１ｂ、４１ｂに内嵌される。従って、狭持側把持具１０と内挿側把持具３０は略水平状態で十字係止具によりロックされて回動不能状態になる。換言すれば、十字基部５２を外側十字孔２４に挿入し、更に内挿十字凹部４１に嵌合させるとロック状態（回動不能状態）になり、十字基部５２を内挿十字凹部から離脱させればロック解除状態（回動可能状態）になる。
【００３９】
図６は、図５に示されている本発明に使用される内挿側把持具の要部拡大斜視図である。図６により内挿十字凹部４１の構造を詳細に説明しておく。内挿側把持具３０の傾斜軸部３４の先端に内挿環状部３６が形成されている。傾斜軸部３４の表面から第１段差４４ａだけ低い位置、即ち第１段差厚Ｗだけ低い位置に内挿環状部裏面３６ｂが形成され、内挿環状部裏面３６ｂから第２段差４４ｂだけ低い位置に内挿十字凹部４１が穿設されている。更に、内挿十字凹部４１から第３段差４４ｃの厚みだけ内挿軸孔部３９が穿孔されている。従って、内挿環状部厚Ｈは第２段差厚Ｈ２と第３段差厚Ｈ３に対し、Ｈ＝Ｈ２＋Ｈ３の関係を有する。内挿太凹部４１ａの幅は内挿太凹部長Ｄ１で示され、内挿細凹部４１ｂの幅は内挿細凹部長ｄ１で示されている。前記第１段差厚Ｗは突板部２３の厚みに相当し、同様に第１段差厚Ｗは内挿環状部表面３６ａの側にもある。従って、狭持側把持具１０と内挿側把持具３０とを一体化させると、両者の側面は面一状に形成されることになる。また、内挿環状部３６から上方には直立板４７が立設され、直立板４７の前面側には直立板前面４７ａが直立状態に形成されている。この直立板前面４７ａは図１で説明した間隙奥壁部２１に当接し、直立板前面４７ａが間隙奥壁部２１に阻止されるため、狭持側把持具１０と内挿側把持具３０が水平状態から上方へ回動することが出来ない。即ち、本発明の払拭体把持具は略水平状態が最大の開状態を示し、これを最大開度と呼ぶ。
【００４０】
図７は、本発明に係る払拭体把持具が水平状態でロック状態にある水平状態ロック詳細図である。（７Ａ）は水平状態、即ち最大開度状態にある払拭体把持具１を押ボタン７０から見た表側正面図である。
（７Ｂ）は、スプリング９０のバネ力で押ボタン７０を突状態にし、水平状態（又は略水平状態と呼んでもよい）をロックして把持具を回動不能状態にする要部断面図である。十字基部５２が内挿十字凹部４１に嵌合して十字基部主面５４ａが下方に進入しているため、払拭体把持具１は水平状態でロックされ、回動不能になっている。このとき、押ボタン７０の頭板部７２はスプリング９０のバネ力により突状態にある。また、各部の長さ、具体的には、筒部長Ｌ１、薄肉部長Ｌ２、十字基部厚Ｔ、係合突起長Ｓ１、柱部長Ｓ２、内挿環状部厚Ｈ、第２段差厚Ｈ２、第３段差厚Ｈ３、突板部厚Ｗ、環状部厚ｗが（７Ｂ）の各部材に引出線を介して示されている。これらの厚さの間には、Ｈ＝Ｈ２＋Ｈ３、Ｌ１≧Ｓ１、Ｌ２≦Ｓ２が成り立つ。第２段差厚Ｈ２は内挿十字凹部４１の深さである。
（７Ｃ）は、十字係止具５０の十字基部５２が内挿側把持具３０の内挿十字凹部４１に嵌合してロックされた水平状態を示す裏側要部正面図である。内挿側把持具３０は点線で示され、狭持側把持具１０は実線で示されている。実線で示す十字基部５２が点線で示す内挿十字凹部４１に嵌合している状態が明示されている。具体的には、太軸５２ａ、５２ａが内挿太凹部４１ａ、４１ａに嵌合し、細軸５２ｂ、５２ｂが内挿細凹部４１ｂ、４１ｂに嵌合しているから、水平状態がロックされ、狭持側把持具１０と内挿側把持具３０が回動不能状態に設定されている。
【００４１】
図８は、本発明に係る払拭体把持具が水平状態でロック解除される水平状態ロック解除詳細図である。（８Ａ）は、内挿側把持具３０が矢印ａ方向に回動可能な水平状態にある払拭体把持具１を押ボタン側から見た表側正面図である。
（８Ｂ）は、水平状態でロック解除して払拭体把持具１を回動可能状態にする要部断面図である。手指で押ボタン７０をスプリング９０に抗して押圧すると、スプリング９０が圧縮され、押ボタン７０は没状態になる。詳細には、十字基部５２を上方へ移動し、十字基部５２を内挿十字凹部４１、具体的には内挿太凹部４１ａ及び内挿細凹部４１ｂから離脱させると、狭持側把持具１０と内挿側把持具３０は相互に回動可能になる。この場合、手指で押ボタン７０を押圧し続ける必要がある。
（８Ｃ）は、十字係止具５０の十字基部５２が内挿側把持具３０の内挿十字凹部４１から抜脱してロック解除された水平状態を示す裏側要部正面図である。十字基部５２の太軸５２ａ、５２ａと細軸５２ｂ、５２ｂが、内挿十字凹部４１の内挿太凹部４１ａ、４１ａと内挿細凹部４１ｂ、４１ｂに夫々同位置に対応していることを示している。但し、十字基部５２は内挿十字凹部４１から離脱し、嵌合は解除されている。（８Ａ）〜（８Ｃ）においては、内挿側把持具３０は矢印ａ方向に、同時に狭持側把持具１０は矢印ｂ方向に回動させることが可能になる。
【００４２】
図９は、本発明において、払拭体把持具をロック解除して内挿側把持具を９０度だけ回動して垂下させた回動途中詳細図である。（９Ａ）は、（８Ａ）の内挿側把持具３０を矢印ａ方向に９０度だけ回動して垂下させた払拭体把持具１を示し、押ボタン側から見た表側正面図である。更に、矢印ｃ方向に回動させることが可能である。また、回動途中においては手指を離しても押ボタン７０は没状態にあり続ける。
（９Ｂ）は、ロック解除による把持具の回動可能状態が手指を離しても持続することを示す要部断面図である。即ち、十字基部５２は外側十字孔２４に嵌合した状態で内挿十字凹部４１から離脱しており、しかも十字基部５２は内挿十字凹部４１と方向が異なった状態にあるから十字基部５２の内挿十字凹部４１への嵌合が阻止されている。
（９Ｃ）では、十字基部５２が（８Ｃ）の位置よりも矢印ｂ方向に９０度だけ回動しているため、十字基部５２の太軸５２ａは内挿十字凹部４１の内挿細凹部４１ｂと重なる。従って、十字基部５２は内挿十字凹部４１から離脱した状態で回動可能状態が維持される。つまり、十字基部５２が少し回動するだけでも、内挿十字凹部４１からの離脱状態は維持されるのである。（９Ａ）〜（９Ｃ）においては、内挿側把持具３０は矢印ｃ方向に、同時に狭持側把持具１０は矢印ｅ方向に回動させることが可能である。
【００４３】
図１０は、本発明において、ロック解除状態で内挿側把持具と狭持側把持具の内側傾斜面が当接するまで内挿側把持具を回動させた回動限界詳細図である。（１０Ａ）では、（９Ａ）の内挿側把持具３０を矢印ｃ方向に更に回動させ、内挿側把持具３０の内側傾斜面３４ａと狭持側把持具１０の内側傾斜面１４ａが当接する回動限界状態が示されている。このとき、（８Ａ）の水平位置からの最大回動角度θｍは約１６０度であるが、設計上は約１７０度まで可能である。
（１０Ｂ）は、最大回動角度θｍにおいても、押ボタン７０が没状態にある回動可能状態が持続している払拭体把持具１の要部断面図である。従って、十字基部５２は外側十字孔２４に嵌合下状態で内挿十字凹部４１から抜脱している。
（１０）では、十字基部５２が（９Ｃ）の位置より矢印ｅ方向に更に約７０度回動しており、十字基部５２は外側十字孔２４と一体回動しながら内挿十字凹部４１と不一致状態にあり、内挿十字凹部４１から抜脱したまま回動可能状態にある。
上記手順を纏めると、初めに、（７Ａ）の様な水平ロック状態にあった払拭体把持具１を、（１０Ａ）のように最大回動角度θｍまで回動させる。この（１０Ａ）の状態は払拭体を挿着する直前の状態である。払拭体を挿着する手順は後述する。払拭体を挿着した後、（１０Ａ）の状態から内挿側把持具３０を矢印ｆ方向に（狭持側把持具１０を矢印ｇ方向に）逆回動させて（７Ａ）の状態まで復帰させると、外側十字孔２４に嵌合している十字基部５２は、スプリング９０のバネ復帰力により自動的に内挿十字凹部４１に嵌合し、水平ロックされて回動不能状態（７Ａ）に戻る。
【００４４】
図１１は、スプリングを無くすことによりスプリング付勢を用いずに、手指で押ボタンを突没させる場合の本発明の要部断面図であり、把持具水平状態でのロック状態図及びロック解除での把持具回動状態を示す。
（１１Ａ）では、十字基部５２を押圧して押ボタン７０を突状態にし、水平ロック状態となって狭持側把持具１０と内挿側把持具３０は回動不能状態になる。（１１Ｂ）では、押ボタン７０を単に押して没状態にするだけで十字基部５２が内挿十字凹部４１の内挿太凹部４１ａと内挿細凹部４１ｂから抜脱し、ロックが解除され、回動可能状態になる。この状態で手指を離してもスプリングが無いので回動可能状態が持続する。その後、両把持具１０、３０を最大回動角度θｍまで回動させ、払拭体を挿着し、元の水平状態まで逆回動させる。水平状態に戻してもスプリングが無いので、押ボタン７０は自動復帰しない。そこで、十字基部５２を手指で押し込むと押ボタン７０は突状態に復帰し、（１１Ａ）の状態になって、両把持具１０、３０は水平ロックされる。
上述したように図１１はスプリング９０が無い点だけで、図１〜図１０と異なっている。図１〜図１０の手順を再記しておくと、払拭体把持具１はスプリング９０を用いているため、水平ロック状態で押ボタンを没状態まで押圧しロック解除して回動可能状態にする。更に押ボタンを押し続けて把持具を少し回動させると、押ボタンから手指を離しても没状態のまま回動可能状態が持続する。そして最大回動角度まで回動させて払拭体を挿着し、再び逆回動させて水平状態に戻すと、スプリングのバネ力により押ボタンが突状態に自動復帰して水平ロック状態が実現する。
【００４５】
図１２は、本発明において、十字以外の形状、例えば直線状・六角状・八角状等の多角形を有した把持具の水平ロック状態及びロック解除状態を示す概略説明図である。これら形態では、十字基部５２の替わりに多角形状の複数突状基部５３ａが形成され、外側十字孔２４の替わりに多角形状の外側複数孔（図示せず）が形成し、内挿十字凹部４１の替わりに多角形状の内挿複数凹部４３が形成される。複数突状基部５３ａ、外側複数孔（図示せず）及び内挿複数凹部４３は略同形に形成される。つまり、外側複数孔に嵌合された複数突状基部５３ａが内挿複数凹部に嵌合されるとロック状態（回動不能状態）になり、外側複数孔に嵌合された複数突状基部５３ａが内挿複数凹部から抜脱するとロック解除状態（回動可能状態）になる。多角形にすることにより係合点数も２以上の多数になり、係合力の増大を図ることができ、しかも係合する複数突状基部５３ａ、外側複数孔（図示せず）及び内挿複数凹部４３を大きく形成できるから、係合耐力の増大を図ることができる。
前記直線状の形態はスプリング９０が有る場合に適用される。直線状形態は１８０度回動して初めて同形に反転するから、把持具の最大回動角度θｍは１８０度未満であるため、把持具の回動過程では上記の同形には反転せず、スプリングのバネ力を受けても自動復帰しない。他方、六角状・八角状等の多角形ではスプリングが無い場合に適用されることが多い。六角形では回動角度が６０度で同形になり、八角形では回動角度が４５度で同形になる。回動角度が４５度や６０度、或いはその整数倍の回動角度になった位置でも、スプリングが無ければ自動復帰しないから、回動可能状態を持続することができる。
【００４６】
（１２Ａ）では、内挿十字凹部４１の替わりに直線状の内挿複数凹部４３を内挿環状部３６に形成し、十字基部５２の替わりに直線状の突状係止具５３を用いて、水平ロック状態とロック解除状態を可能にする。複数突状基部５３ａを外側複数孔（図示せず）に挿着して更に内挿複数凹部４３に挿着するとロック状態になり、把持具１０、３０はロックされる。また、押ボタン７０を手指で押圧して、複数突状基部５３ａを内挿複数凹部４３から抜脱すると、水平ロック状態は解除され、把持具１０、３０は相対的に回動可能になる。最大回動角度θｍは約１７０度近くまで設計でき、この最大回動角度θｍで払拭体を挿着して、上記水平状態まで戻し、スプリングのバネ力又は手指で水平ロック状態にすると、払拭体と一緒になって水平ロック状態になり、清掃作業が可能になる。
（１２Ｂ）は、内挿十字基部４１の替わりに六角状の内挿複数凹部４３を形成し、六角状の突状係止具５３を用いて、水平ロック状態とロック解除状態を可能にする説明図である。その他は（１２Ａ）と同様である。六角状で無くても、三角状、五角状、七角状、八角状、更に多角状にすることができる。この様に、多角形でロック可能にすると、多点ロックになり、ロック強度の向上を図ることができる。また、多角の各々を同形にしてもスプリングが無い場合には、バネ力が作用しないから、手指による押ボタンの押引だけでロック解除、ロック状態の選択が可能になる。更に、多角の各点が同形で無い場合には、スプリングによるバネ力が作用しても嵌合は特定位置でしか生じない。ロックを解除した原位置まで把持具１０、３０を復帰させて初めてバネ力でロックされることになる。
【００４７】
図１３は、本発明において、（１０Ａ）の払拭体把持具に払拭体を挿着する手順工程図である。（１３Ａ）は、（１０Ａ）に示す払拭体把持具１の内挿側把持具３０と狭持側把持具１０を払拭体９２の開口部に挿着する挿着開始図である。払拭体９２は、払拭繊維９３を有した左側払拭体９２ａと右側払拭体９２ｂから構成され、払拭体開口部９にも左側開口部９４ａと右側開口部９４ｂがあり、内部には空洞状の左側袋状孔部９５ａと右側袋状孔部９５ｂが存在する。本発明の払拭体把持具１を矢印ｈ方向に払拭体９２に挿着する。
（１３Ｂ）は、払拭体把持具１を払拭体９２の袋状部９５に挿入完了した挿着完了図である。狭持側把持具１０は左側開口部９４ａから左側袋状部９５ａに挿入され、内挿側把持具３０は右側開口部９４ｂから右側袋状部９５ｂに挿入される。
（１３Ｃ）では、払拭体９２に挿着された払拭体把持具１の内挿側把持具３０を（１０Ａ）に示すように矢印ｆ方向に逆回動し、（８Ａ）から（７Ａ）に示す水平状態まで復帰させて挿着を完成する。内挿側把持具３０が水平状態に復帰すると、内挿十字凹部４１と十字基部５２が完全に一致する。このとき、スプリング９０のバネ復帰力により、十字基部５２の太軸５２ａと細軸５２ｂが内挿十字凹部４１の内挿太凹部４１ａと内挿細凹部４１ｂに嵌合する。この結果、（９Ｂ）の状態からスプリング９０のバネ力により押ボタン７０が（７Ｂ）の状態に復帰し、払拭体把持具１が払拭体９２に挿着された状態で水平にロックされる。
【００４８】
図１４は、本発明において、払拭体を装着して水平状態でロックされた払拭体把持具にハンドルが連結された清掃用具の正面図である。払拭体把持具１の軸受部４８にハンドル受管（図示せず）を揺動自在に軸支し、このハンドル受管にハンドル９８を連結して清掃用具９９が完成される。
【００４９】
本発明は、上記実施形態や変形例に限定されるものではなく、本発明の技術的思想を逸脱しない範囲における種々変形例、設計変更などをその技術的範囲内に包含するものであることは云うまでもない。
【産業上の利用可能性】
【００５０】
本発明に係る払拭体把持具及び清掃用具は、家庭や事務所や工場の床材、及び店舗の床、壁などを清掃するときに用いられ、販売商品にするだけでなく、特に耐久力が強いので、レンタル商品として払拭体を定期的に取り替えてユーザーにレンタルするようにしてもよいものである。
【符号の説明】
【００５１】
１          払拭体把持具
１０        狭持側把持具
１２        基軸部
１４        傾斜軸部
１４ａ      内側傾斜面
１５        環状部
１６        環状内周面
１７        環状外周面
１８        円孔
１９        環状上部
２０        間隙部
２１        間隙奥壁部
２３        突板部
２３ｃ      突板部外周面
２４        外側十字孔
２４ａ      外側太孔
２４ｂ      外側細孔
２５        環状縁
２５ａ      外側段差
３０        内挿側把持具
３２        基軸部
３４        傾斜軸部
３４ａ      内側傾斜面
３５        内挿環状内周面
３６        内挿環状部
３６ａ      内挿環状部表面
３６ｂ      内挿環状部裏面
３７        内挿環状外周面
３８        スプリング用環状溝
３９        内挿軸孔部
４０        内挿環状上部
４１        内挿十字凹部
４１ａ      内挿太凹部
４１ｂ      内挿細凹部
４３        内挿複数凹部
４４ａ      第１段差
４４ｂ      第２段差
４４ｃ      第３段差
４７        直立板
４７ａ      直立板前面
４８        軸受部
４９        軸受孔
５０        十字係止具
５２        十字基部
５２ａ      太軸
５２ｂ      細軸
５３        突状係止具
５３ａ      複数突状基部
５４ａ      十字基部主面
５４ｂ      十字基部裏面
５６        中空部
６０        係合突起
６２        係合柱部
６４        係合爪
６６        段差部
７０        押ボタン
７１        押ボタン環状縁
７２        頭板部
７４        筒部
７５        筒先端
７６        開口窓
７８        薄肉部
７８ａ      テーパ面
９０        スプリング
９０ａ      スプリング端
９０ｂ      スプリング他端
９２        払拭体
９２ａ      左側払拭体
９２ｂ      右側払拭体
９３        払拭繊維
９４        払拭体開口部
９４ａ      左側開口部
９４ｂ      右側開口部
９５ａ      左側袋状孔部
９５ｂ      左側袋状孔部
９７        中間清掃用具
９８        ハンドル
９９        清掃用具
θ１        傾斜角度
θ２        傾斜角度
θｍ        最大回動角度
ｄ          内挿細凹部長
ｄ          細軸幅
ｄ１        内挿細孔長
Ｄ          太軸幅
Ｄ          太軸幅
Ｄ１        内挿太凹部長
Ｄ１        内挿太孔長
Ｈ          内挿環状部厚
Ｈ２        第２段差厚
Ｈ３        第３段差厚
Ｌ１        筒部長
Ｌ２        薄肉部長
Ｓ１        係合部長
Ｓ２        柱部長
Ｓ１        係合部長
Ｓ２        柱部長
Ｔ          十字基部厚
ｗ          環状部厚
Ｗ          突板部厚
１０９      揺動軸部
１１０      突部
１１０ｃ    段状係合部
１１０ｄ    貫通穴
１１１      突部
１１１ｃ    段状係合部
１１２      中空体
１１３      中空体
１１４      連結端
１１５      連結端
１１６      保持部
１１７      保持部
１１８      ロックボタン
１１８ａ    係合脚部
１１９      回動軸穴
１２０      連結部材
１２０ｃ    縦溝
１２１      パイプ挿入部
１２２      コイルバネ
１５２      雌ねじ部
１５４      軸受部
【図１】
2014183905.tif 000003
【図２】
2014183905.tif 000004
【図３】
2014183905.tif 000005
【図４】
2014183905.tif 000006
【図５】
2014183905.tif 000007
【図６】
2014183905.tif 000008
【図７】
2014183905.tif 000009
【図８】
2014183905.tif 000010
【図９】
2014183905.tif 000011
【図１０】
2014183905.tif 000012
【図１１】
2014183905.tif 000013
【図１２】
2014183905.tif 000014
【図１３】
2014183905.tif 000015
【図１４】
2014183905.tif 000016
【図１５】
2014183905.tif 000017